(57)【要約】【課題】対物レンズのチルト量の手動補正を行うことが可能な光ディスク装置を提供する。【解決手段】ディスク１００が何らかの原因で読み込めない場合に、表示部１０に操作画面としてバー表示を行い、バー上のカーソル１１を操作することにより、チルト量制御部６はカーソル１１のバー上の位置を検出し、それに応じてチルト変更部２３にてチルト量を変更することができ、これにより対物レンズ２１の光軸を手動操作により変更することができる。【選択図】図１
2008010057.tif 000002
【特許請求の範囲】
【請求項１】
載置される記憶媒体たるディスクに記憶されるデータを読み込むための対物レンズと、前記ディスクの記録面の傾きを測定するためのチルトセンサを備えるトラバースユニットと、
前記チルトセンサにより検出される記録面の傾きから前記ディスクの反りを検出するディスク反り検出部と、
該ディスク反り検出部により検出される前記ディスクの反り量が所定の閾値を越えるかを判定するディスク反り判定部と、
前記ディスク再生の際に、前記ディスクの反りや付着物等によって発生するエラーを訂正する補正動作を制御するディスク再生補正制御部と、
対物レンズ光軸と前記ディスク盤面を垂直に補正する際のチルト量を制御するチルト量制御部と、
前記ディスクに記録される映像や、メニュー画面等を表示するための映像表示出力手段と、
装置全体の動作の制御を行う制御部と、
ユーザによる操作を制御部に伝達するための操作部と、を備える光ディスク装置であって、
前記制御部は、映像表示出力手段にチルト補正を行う操作画面を表示すると共に、ユーザの操作によるチルト量の手動補正を行うチルト量手動補正機能を有することを特徴とするチルト補正機能付き光ディスク装置。
【請求項２】
前記制御部は、チルト量自動補正機能を有するものであり、
前記ディスクが載置され、前記自動補正機能によりチルト量の補正を行った際に、前記ディスクの読み込みが行えなかった場合、前記チルト量手動補正機能を動作させることを特徴とする請求項１記載のチルト補正機能付き光ディスク装置。
【発明の詳細な説明】
【技術分野】
【０００１】
本発明は、自動補正をすることができないような湾曲変形したディスクに対して、ユーザの操作による手動補正によってチルト補正を試行することができるチルト補正機能付き光ディスク装置に関する。
【背景技術】
【０００２】
従来、記録媒体を用いた記録再生を行う電子機器において、記録媒体の読み込みの際の障害となる物理的・論理的なエラーを修正及び補正するために様々な手法が開示されている。例えば特許文献１では再生動作の直前に、チルト量演算部によりディスク全体の反りを検出し、ディスクの反りが記録及び再生に耐えうるものではない場合、再生動作を行う前に判定結果の表示やディスクの排出、又はディスクの再クランプを行う方法が開示されている。
【０００３】
また、特許文献２では、ディスクの反りが所定の閾値以内である場合に、チルト機構を動作させないことにより、ディスクを再生する際のアクセス時間を短縮したり、チルト補正の必要が無いディスクに対してチルト機構が動作することによって発生する振動により読み込むべきデータに誤りを発生させることを防止する方法が開示されている。特許文献２では、更に表示部に測定したチルト値を表示し、チルト機構を動作させるか否かをユーザに選択させても良いとしている。
【０００４】
【特許文献１】特開２００１−２５６７１２号公報
【特許文献２】特開２００２−２６０２６２号公報
【発明の開示】
【発明が解決しようとする課題】
【０００５】
しかしながら、特許文献１及び２の何れにおいても、チルト機構によるチルト補正を自動的に行うものであり、自動補正が適わなかった場合、ディスクの排出等を行うのみであって、ディスクが読み込めない原因をユーザに報知しておらず、ユーザはディスクの不良であるか、ディスク装置の不良であるかの判断を行うことが困難であった。
【０００６】
本発明は上記課題を鑑みてなされたものであり、ディスクの読込不良が発生した場合、ユーザ自らが手動で補正することが可能なチルト補正機能付き光ディスク装置を提供することを目的とする。
【課題を解決するための手段】
【０００７】
請求項１に係るチルト補正機能付き光ディスク装置は、載置される記憶媒体たるディスクに記憶されるデータを読み込むための対物レンズと、前記ディスクの記録面の傾きを測定するためのチルトセンサを備えるトラバースユニットと、
前記チルトセンサにより検出される記録面の傾きから前記ディスクの反りを検出するディスク反り検出部と、
該ディスク反り検出部により検出される前記ディスクの反り量が所定の閾値を越えるかを判定するディスク反り判定部と、
前記ディスク再生の際に、前記ディスクの反りや付着物等によって発生するエラーを訂正する補正動作を制御するディスク再生補正制御部と、
対物レンズ光軸と前記ディスク盤面を垂直に補正する際のチルト量を制御するチルト量制御部と、
前記ディスクに記録される映像や、メニュー画面等を表示するための映像表示出力手段と、
装置全体の動作の制御を行う制御部と、
ユーザによる操作を制御部に伝達するための操作部と、を備える光ディスク装置であって、
前記制御部は、映像表示出力手段にチルト補正を行う操作画面を表示すると共に、ユーザの操作によるチルト量の手動補正を行うチルト量手動補正機能を有することを特徴とする。
【０００８】
請求項１の構成によれば、現在のチルト補正量を示す操作画面により、ユーザが現在の補正量を確認しながら、チルト補正量の変更を行うことができる。
【０００９】
請求項２に係るチルト補正機能付き光ディスク装置は、請求項１に記載のチルト補正機能付き光ディスク装置において、前記制御部は、チルト量自動補正機能を有するものであり、
前記ディスクが載置され、前記自動補正機能によりチルト量の補正を行った際に、前記ディスクの読み込みが行えなかった場合、前記チルト量手動補正機能を動作させることを特徴とする。
【００１０】
請求項２の構成によれば、チルト量の自動補正によってディスクの読み込みが行えなかった場合に、手動操作によってチルト量の補正を行うことができる。
【発明の効果】
【００１１】
請求項１に係るチルト補正機能付き光ディスク装置は、載置される記憶媒体たるディスクに記憶されるデータを読み込むための対物レンズと、前記ディスクの記録面の傾きを測定するためのチルトセンサを備えるトラバースユニットと、
前記チルトセンサにより検出される記録面の傾きから前記ディスクの反りを検出するディスク反り検出部と、
該ディスク反り検出部により検出される前記ディスクの反り量が所定の閾値を越えるかを判定するディスク反り判定部と、
前記ディスク再生の際に、前記ディスクの反りや付着物等によって発生するエラーを訂正する補正動作を制御するディスク再生補正制御部と、
対物レンズ光軸と前記ディスク盤面を垂直に補正する際のチルト量を制御するチルト量制御部と、
前記ディスクに記録される映像や、メニュー画面等を表示するための映像表示出力手段と、
装置全体の動作の制御を行う制御部と、
ユーザによる操作を制御部に伝達するための操作部と、を備える光ディスク装置であって、
前記制御部は、映像表示出力手段にチルト補正を行う操作画面を表示すると共に、ユーザの操作によるチルト量の手動補正を行うチルト量手動補正機能を有するので、ディスクが読み込めない原因がディスクに生じている変形によるものであることを、ユーザは把握することができ、それに対して自らの操作で解決する方法を提供することができる。
【００１２】
請求項２に係るチルト補正機能付き光ディスク装置は、請求項１に記載のチルト補正機能付き光ディスク装置において、前記制御部は、チルト量自動補正機能を有するものであり、
前記ディスクが載置され、前記自動補正機能によりチルト量の補正を行った際に、前記ディスクの読み込みが行えなかった場合、前記チルト量手動補正機能を動作させるので、従来からあるチルト量自動補正が行われてもディスクの再生が行えないような場合、ユーザは自らの操作によってチルト量の補正を試行することができる。
【発明を実施するための最良の形態】
【００１３】
以下、本発明を実施するための最良の形態としての実施例を図１から図５を参照して説明する。もちろん、本発明は、その発明の趣旨に反さない範囲で、実施例において説明した以外のものに対しても容易に適用可能なことは説明を要するまでもない。
【００１４】
図１〜図５は、本発明の一実施例を示し、図１は、本実施例における光ディスク装置の構成を示すブロック図である。図２は、本実施例における光ディスク装置のチルト量の手動補正の際の動作を示すフローチャート図である。図３は、チルト量の手動補正を行うかを問う画面を表示する表示部を示す説明図である。図４は、チルト量の手動補正を行うためのバー表示をする表示部を示す説明図である。図５は、手動補正によりディスクの再生ができなかった場合に、その旨を報知する表示部を示す説明図である。
【００１５】
本実施例における光ディスク装置の構成に付いて、図１に基づいて説明する。１は光ディスク装置である。１００は映像データ等を記録する記録媒体たるディスクである。２はトラバースユニットであり、２１はディスク１００に記録されるデータの読取りを行う対物レンズであり、２２はディスク１００の反りを検出するチルトセンサであり、２３はディスク１００の反りに光軸の角度を合わせるためにチルト量を変更するチルト変更部である。３はチルトセンサ２２で検出したディスク１００の反りの量を計測するディスク反り検出部である。４はディスク反り検出部３で検出した反りの量が閾値を超えているかを判定するディスク反り判定部である。５はディスク１００を再生する際のディスク１００の記録面の反りや、埃などの付着物による読み込み時のエラー訂正を行うディスク再生補正制御部である。６は、対物レンズ２２のチルト量の変動を制御するチルト量制御部である。７は光ディスク装置１全体の動作を制御する制御部である。８は制御部７に必要な情報を一時的に記憶するためのメモリーである。１０はディスクに記録される映像データや、メニュー画面等の光ディスク装置１を操作する操作画面をＯＳＤ（Ｏｎ  Ｓｃｒｅｅｎ  Ｄｉｓｐｌａｙ）表示するための映像表示出力手段たる表示部である。
【００１６】
次に、対物レンズ２２のチルト量手動補正機能の動作について、図２〜５に基づいて説明する。まず、載置されるディスク１００の記録面の傾き及びディスク１００の反りをチルトセンサ２２及びディスク反り検出部３により検出する（Ｓ０００１）。反りが検出された場合、チルトの自動補正を行う（Ｓ０００２）。次に、ディスク１００の反りが補正閾値（例えば半径方向に１°を閾値とする）を超えるかを、ディスク反り判定部４により判定を行い（Ｓ０００３）、補正閾値を超えていない場合はステップＳ０００２に戻り自動補正を継続し、ディスクの反りが補正閾値を越えた場合は、表示部に自動補正が不可能であるため手動によるチルト補正に切り換えて再生を継続するかを問う、図３に示すようなＯＳＤ表示を行う（Ｓ０００４）。再生の継続が選択されるか否かを判別し（Ｓ０００５）、再生継続が選択された場合は、図４に示すようなＯＳＤにより「手動補正」と表示しチルト量を示すバー表示を行い、バー上に表示されるカーソル１１を用いてチルト量の操作を行う（Ｓ０００６）。再生継続が選択されない場合は、画面上に「ディスクの反りが大きいため再生不可能です」と表示させ、ユーザにディスクの不良を放置して動作を終了する（Ｓ００１２）。ステップＳ０００６で表示された手動補正のための操作画面において、カーソル１１のバー上の位置に応じて、チルト量の増加及び減少を、チルト量制御部６を通じてチルト変更部２３により行う。この操作中も、ディスクの読み込みは継続して試行する（Ｓ０００７）。バー上のカーソルを、右端の最大値から更に右（若しくは左端の最小値から更に左）へと移動させるよう操作した場合（Ｓ０００８）はステップＳ００１２へ移行し、カーソル操作範囲内において再生が可能なチルト補正量に合致するか否かを判別し（Ｓ０００９）、合致しない場合はステップＳ０００７へ移行する。合致する場合は、チルト量の手動補正動作を終了し（Ｓ００１０）、ディスクの再生を行う。
【００１７】
以上のように構成された光ディスク装置によれば、反りを検知し、自動で補正を行っても読み込むことができないディスクに対して、ユーザが自身の操作によりチルト量を手動補正することにより、例えば記録若しくは再生中に、レーザ光やＩＣ等の発熱による温度上昇で反りが生じた場合でも、ユーザ自らによりチルト補正を行うことができる。また、反りが生じているディスクを載置され読み込めない場合に、光ディスク装置側の原因であるかどうかを、本発明によりユーザが切り分けを行うことができる。
【図面の簡単な説明】
【００１８】
【図１】本発明の実施例における、光ディスク装置の構成を示す説明図である。
【図２】同上、チルト量の手動補正を行う際の光ディスク装置の動作を示すフローチャート図である。
【図３】同上、チルト量の手動補正を指示する表示例を示す表示部の説明図である。
【図４】同上、チルト量の手動補正するための操作画面たるバーの表示例を示す表示部の説明図である。
【図５】同上、チルト量の手動補正によってディスクの読み込みができないことを報知するための表示例を示す表示部の説明図である。
【符号の説明】
【００１９】
１    光ディスク装置
２    トラバースユニット
２１  対物レンズ
２２  チルトセンサ
２３  チルト変更部
３    ディスク反り検出部
４    ディスク反り判定部
５    ディスク再生補正制御部
６    チルト量制御部
７    ＣＰＵ（制御部）
１０  表示部（映像表示出力手段）
【図１】
2008010057.tif 000003
【図２】
2008010057.tif 000004
【図３】
2008010057.tif 000005
【図４】
2008010057.tif 000006
【図５】
2008010057.tif 000007